(57)【要約】【課題】土砂流入防止効果が高い埋設ボックス用土砂流入防止板を提供する。【解決手段】埋設ボックス用土砂流入防止板１は、基板部２０と、水道管Ｐが配置される水道管配置用孔部２１と、水道管通過用スリット部２２と、複数の弾性舌片部２５ａ，２５ｂとを備え、水道管通過用スリット部２２に対して相対的に近い下側弾性舌片部２５ａが、相対的に遠い上側弾性舌片部２５ｂよりも弾性変形し難い構造となっている。【選択図】図１
2018071241.tif 000002
【特許請求の範囲】
【請求項１】
所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、
基板部と、
前記基板部に貫通状に形成されており、前記水道管が配置される水道管配置用孔部と、
前記基板部の外縁から前記水道管配置用孔部に至るまで、前記基板部に貫通状に形成された水道管通過用スリット部と、
を具備し、
前記基板部における前記水道管配置用孔部を囲繞する周辺部には、前記周辺部から前記水道管配置用孔部に向かって差し出された複数の弾性舌片部が形成されており、
前記水道管通過用スリット部を介して前記水道管配置用孔部に前記水道管が配置された状態で、前記複数の弾性舌片部は前記水道管に当接した状態となり、
さらに前記複数の弾性舌片部にあっては、
前記水道管通過用スリット部に対して相対的に遠い弾性舌片部よりも相対的に近い弾性舌片部の方が前記水道管に当接するときに弾性変形し難い弾性変化構造を有している
ことを特徴とする埋設ボックス用土砂流入防止板。
【請求項２】
前記弾性変化構造は、
前記水道管通過用スリット部に対して相対的に近い弾性舌片部における当該弾性舌片部の差し出し方向に直交する方向の最大外寸が、相対的に遠い弾性舌片部における当該弾性舌片部の差し出し方向に直交する方向の最大外寸よりも大きい構造を含んでいる
請求項１に記載の埋設ボックス用土砂流入防止板。
【請求項３】
前記弾性舌片部は、前記基板部から延設されてなる板片形状であって、
前記弾性変化構造は、
前記水道管通過用スリット部に対して相対的に近い弾性舌片部の最大板厚が、相対的に遠い弾性舌片部の最大板厚よりも厚い構造を含んでいる
請求項２に記載の埋設ボックス用土砂流入防止板。
【請求項４】
前記弾性舌片部は、先端に向かうに従って当該弾性舌片部の差し出し方向に直交する方向の外寸が小さくなっている
請求項１乃至請求項３のいずれか１項に記載の埋設ボックス用土砂流入防止板。
【請求項５】
前記複数の弾性舌片部は、
前記水道管配置用孔部に前記水道管が配置されていない状態で、前記水道管配置用孔部に向かうに従い前記基板部の板厚方向に沿うように一方へ湾曲しており、前記水道管配置用孔部に前記水道管が配置された状態で、前記複数の弾性舌片部は前記水道管に弾接した状態となる
請求項１乃至請求項４のいずれか１項に記載の埋設ボックス用土砂流入防止板。
【請求項６】
請求項１乃至請求項５のいずれか１項に記載の埋設ボックス用土砂流入防止板と、
前記埋設ボックス用土砂流入防止板によって土砂の流入が防止される埋設ボックスと、
を含む
ことを特徴とする埋設ボックスセット。
【発明の詳細な説明】
【技術分野】
【０００１】
本発明は、量水器あるいは止水栓等の機器が収容される埋設ボックス内に土砂が流入することを防止する埋設ボックス用土砂流入防止板、及び該埋設ボックス用土砂流入防止板を含む埋設ボックスセットに関する。
【背景技術】
【０００２】
従来から、量水器あるいは止水栓等の機器が収容される埋設ボックスに設けられている水道管挿通用孔部から埋設ボックス内に土砂が流入することを防止する埋設ボックス用土砂流入防止板が種々提案されている。
【０００３】
例えば特許文献１には、水道管の外径に対応する中央透孔を具え且つ埋設ボックスの切欠孔を被う面積を有すると共に切欠孔に対向する土砂の圧力に耐えうる強度と中央透孔より外周縁まで切欠した切欠部（スリット部）とを有する弾性合成樹脂よりなる水道メーター埋設ボックス用カバーが開示されている。
【０００４】
また、特許文献２には、水道管挿通孔から縁辺に切り込み（スリット部）を設けた土留板を設け、この土留板にて筐体および底台の水道管導入部を覆うとともに、固定爪体をこの筐体と底台との係合孔に係合して、筐体と底台を連結した量水器筐が開示されている。
【０００５】
さらに、特許文献３には、合成樹脂製基板部の略中央部に設けた円形孔の周縁から放射状に設けられた多数の切溝と、下側まで延長するように設けられた切溝（スリット部）とを形成して適当長さの多数の扇形舌片を形成し、この各扇形舌片に適当間隔で円形孔と同心円状の数条の凹溝を形成した閉塞用当板が開示されている。
【先行技術文献】
【特許文献】
【０００６】
【特許文献１】実公昭４９−３４８３５号公報
【特許文献２】特許第３０４５５９１号公報
【特許文献３】実公昭５４−２６４９０号公報
【発明の概要】
【発明が解決しようとする課題】
【０００７】
しかしながら、これまでに提供されている従来品は、水道管に装着した状態で当該埋設ボックス用土砂流入防止板が水道管に対して傾いてしまい、水道管における管軸の方向と埋設ボックス用土砂流入防止板における孔部の中心軸線方向とが平行にならない状態になりやすい。具体的には、埋設ボックス用土砂流入防止板がねじれてしまい、埋設ボックス用土砂流入防止板と孔部との間に隙間が生じてしまうこととなり、そこから土砂が流入してしまうという問題が生ずる。
【０００８】
ここで本願の発明者らは、かかる問題は埋設ボックス用土砂流入防止板を水道管に装着した状態で、水道管を挿通するためのスリット部（切り欠き、又は切り溝）が過剰に拡開してしまって、該スリット部の周辺で当該埋設ボックス用土砂流入防止板が折れ曲がってねじれてしまうことが原因であると分析した。ここで、これを解消すべく、埋設ボックス用土砂流入防止板の板厚を厚くして全体の剛性を高めることによりスリット部の周辺が折れ曲がらないようにする手段が提案されうる。しかし、かかる構成とすると、今度は水道管に装着する際にスリット部へ水道管を通過させにくくなってしまうことになり、問題となる。
【０００９】
そこで本発明は、装着容易性を妨げることなく水道管に装着した状態でスリット部が過剰に拡開してしまって水道管に対して傾いてしまう、ということを防止できる埋設ボックス用土砂流入防止板を提供することを目的とする。
【００１０】
また本発明は、前記埋設ボックス用土砂流入防止板を有する埋設ボックスセットを提供することを目的とする。
【課題を解決するための手段】
【００１１】
本発明は、所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、基板部と、前記基板部に貫通状に形成されており、前記水道管が配置される水道管配置用孔部と、前記基板部の外縁から前記水道管配置用孔部に至るまで、前記基板部に貫通状に形成された水道管通過用スリット部と、を具備し、前記基板部における前記水道管配置用孔部を囲繞する周辺部には、前記周辺部から前記水道管配置用孔部に向かって差し出された複数の弾性舌片部が形成されており、前記水道管通過用スリット部を介して前記水道管配置用孔部に前記水道管が配置された状態で、前記複数の弾性舌片部は前記水道管に当接した状態となり、さらに前記複数の弾性舌片部にあっては、前記水道管通過用スリット部に対して相対的に遠い弾性舌片部よりも相対的に近い弾性舌片部の方が前記水道管に当接するときに弾性変形し難い弾性変化構造を有していることを特徴とする埋設ボックス用土砂流入防止板である。
【００１２】
このように弾性舌片部が前記した弾性変化構造を有することにより、水道管通過用スリット部に対して相対的に近い弾性舌片部が水道管に当接したときに当該弾性舌片部から大きい反力を得ることが可能となり、前記水道管通過用スリット部周辺の剛性が十分に確保され、埋設ボックス用土砂流入防止板が折れ曲がって該水道管通過用スリット部が過剰に拡開してしまう、ことが防止される。したがって、かかる装着状態で、水道管における管軸の方向と前記水道管挿通用孔部の中心軸線方向とが一致しやすい状態となる。このため、埋設ボックス用土砂流入防止板が水道管に対して傾いて装着されることがなくなり、埋設ボックスへの土砂の流入を招く隙間が生じてしまうことを確実に防止することができる。なお、前記水道管通過用スリット部に対して相対的に遠い弾性舌片部は相対的に弾性変形し易い構造であるため、水道管に対して柔軟に当接して水道管との間に隙間が生じることを確実に抑制することが可能である。
【００１３】
かかる構成にあって、前記弾性変化構造は、前記水道管通過用スリット部に対して相対的に近い弾性舌片部における当該弾性舌片部の差し出し方向に直交する方向の最大外寸が 、相対的に遠い弾性舌片部における当該弾性舌片部の差し出し方向に直交する方向の最大外寸よりも大きい構造を含んでいることを望ましい。
【００１４】
かかる構成とすることにより、水道管通過用スリット部に対して相対的に遠い弾性舌片部よりも相対的に近い弾性舌片部の方が水道管に当接するときに弾性変形し難いという弾性変化構造を無理なく実現することが可能となる。
【００１５】
さらに、上記構成において、前記弾性舌片部は、前記基板部から延設されてなる板片形状であって、前記弾性変化構造は、前記水道管通過用スリット部に対して相対的に近い弾性舌片部の最大板厚が、相対的に遠い弾性舌片部の最大板厚よりも厚い構造を含んでいる構成が提案される。
【００１６】
かかる構成にあっては、前記弾性変化構造を弾性舌片部の板厚の厚さを変化させることによって達成することができる。
【００１７】
また、前記弾性舌片部は、前記基板部から延設されてなる板片形状であって、前記弾性変化構造は、前記水道管通過用スリット部に対して相対的に近い弾性舌片部の最大板幅が、相対的に遠い弾性舌片部の最大板幅よりも幅広である構造を含んでいる構成としてもよい。
【００１８】
かかる構成にあっては、前記弾性変化構造を弾性舌片部の板幅を変化させることによって達成することができる。
【００１９】
さらに、前記弾性変化構造は、前記水道管通過用スリット部に対して相対的に近い弾性舌片部の差し出し長さが、相対的に遠い弾性舌片部の差し出し長さよりも短い構造を含んでいる構成が提案される。
【００２０】
かかる構成にあっては、前記弾性変化構造を弾性舌片部の差し出し長さを変化させることによって達成することができる。
【００２１】
そして、前記弾性舌片部は、先端に向かうに従って当該弾性舌片部の差し出し方向に直交する方向の外寸が小さくなっていることが望ましい。
【００２２】
かかる構成とすることにより、前記弾性舌片部を水道管に当接した際に当該弾性舌片部の先端を水道管の形状に追従し易くすることができる。
【００２３】
また、前記複数の弾性舌片部は、前記水道管配置用孔部に前記水道管が配置されていない状態で、前記水道管配置用孔部に向かうに従い前記基板部の板厚方向に沿うように一方へ湾曲しており、前記水道管配置用孔部に前記水道管が配置された状態で、前記複数の弾性舌片部は前記水道管に弾接した状態となることが望ましい。
【００２４】
かかる構成にあっては、埋設ボックス用土砂流入防止板を水道管に取り付けた状態で、前記弾性舌片部の先端部が前記水道管の外周面に弾接して押し付けられる状態となり、前記水道管の外周面と弾性舌片部の先端部との間に隙間が生じにくくなる。このため、埋設ボックス内への土砂の流入防止効果が向上する。ここで、前記弾性舌片部の先端部が向く方向と、水道管の管軸方向とがほぼ一致した状態で当該弾性舌片部と当該水道管とが当接するため、弾性舌片部の長さを水道管の外径に厳密に対応させる必要がない。また、かかる構成では、弾性舌片部の先端部が水道管の外周面に対して適正位置で当接することになるため、水道管に埋設ボックス用土砂流入防止板を取り付けた際に、前記基板部のねじれをより一層防止することができる。また、上述のように弾性舌片部の長さを調整する必要がないため、外径が異なる多種の水道管に対して１種の埋設ボックス用土砂流入防止板で柔軟に対応することができる。
【００２５】
さらに、前記水道管配置用孔部に前記水道管が配置されていない状態の前記弾性舌片部の先端における水道管配置用孔部の最小孔径が、前記弾性舌片部の先端における前記水道管配置用孔部の位置に配される水道管の外径よりも径小であることが望ましい。
【００２６】
かかる構成とすることにより、埋設ボックス用土砂流入防止板を水道管に取り付けて前記水道管配置用孔部に水道管を配置すると、前記水道管によって前記弾性舌片部が押し広げられた状態となり、前記弾性舌片部の先端部が前記水道管の外周面に弾接した状態となる。このため、前記水道管の外周面と弾性舌片部の先端部との間に隙間が生じにくくなる。ここで、前記弾性舌片部の先端における水道管配置用孔部の最小孔径は、弾性舌片部の先端が位置している箇所における水道管配置用孔部の内径に相当する。また、前記弾性舌片部の先端における前記水道管配置用孔部の位置に配される水道管の外径は、水道管の外径のうち、水道管配置用孔部に配置されたときに弾性舌片部の先端が位置している箇所の水道管の外径に相当する。
【００２７】
そして本発明は、前記埋設ボックス用土砂流入防止板と、前記埋設ボックス用土砂流入防止板によって土砂の流入が防止される埋設ボックスと、を含むことを特徴とする埋設ボックスセットである。
【００２８】
かかる構成にあっては、土砂の流入を防止できる埋設ボックスを施工現場で迅速に準備し、そして施工することができる。
【００２９】
さらには、前記埋設ボックス用土砂流入防止板が、前記弾性舌片部の先端が前記埋設ボックスとは反対側へ向くように配されていることを特徴とする埋設ボックスの土砂流入防止構造が提案される。
【００３０】
かかる構成にあっては、土砂が流入しようとする方向と湾曲した弾性舌片部の差し出し方向とを対向させることが可能となり、前記埋設ボックス内に流入しにくい埋設ボックスの土砂流入防止構造を構築することができる。
【００３１】
またさらには、前記埋設ボックス用土砂流入防止板の取り付け方法であって、前記水道管通過用スリット部に前記水道管を通過させることで前記水道管配置用孔部に前記水道管を配置して、前記弾性舌片部を前記水道管に当接させる工程を含むことを特徴とする埋設ボックス用土砂流入防止板の取り付け方法が提案される。
【００３２】
かかる構成にあっては、前記埋設ボックス用土砂流入防止板を前記水道管に容易に取り付けることができると共に、前記埋設ボックス内へ土砂が流入することを好適に防止することができる。
【発明の効果】
【００３３】
本発明にかかる埋設ボックス用土砂流入防止板は、装着時に水道管に対して傾かないため、土砂の流入防止効果が高い効果がある。
【００３４】
また本発明にかかる埋設ボックスセットは、前記埋設ボックス用土砂流入防止板を有する埋設ボックスを提供することができる効果がある。
【図面の簡単な説明】
【００３５】
【図１】実施例１の埋設ボックス用土砂流入防止板を示し、（ａ）は正面図、（ｂ）は右側面図、（ｃ）は背面図である。
【図２】図１のＡ−Ａ線部分断面図である。
【図３】（ａ）は実施例１にかかる埋設ボックス及び水道管を示す斜視図であり、（ｂ）は実施例１にかかる埋設ボックスの土砂流入防止構造を示す斜視図である。
【図４】実施例１にかかる埋設ボックス用土砂流入防止板を水道管に取り付ける過程を示す説明図である。
【図５】弾性舌片部が水道管に当接した状態を示す説明図である。
【図６】実施例２の埋設ボックス用土砂流入防止板を示し、（ａ）は正面図、（ｂ）は右側面図、（ｃ）は背面図である。
【図７】実施例３の埋設ボックス用土砂流入防止板を示し、（ａ）は正面図、（ｂ）は右側面図、（ｃ）は背面図である。
【図８】実施例４の埋設ボックス用土砂流入防止板を示す部分断面図である。
【図９】実施例５の埋設ボックス用土砂流入防止板を示し、（ａ）は正面図、（ｂ）は右側面図、（ｃ）は背面図である。
【図１０】弾性舌片部が水道管に弾接した状態を示す説明図である。
【図１１】他の実施例の埋設ボックス用土砂流入防止板を示し、（ａ）は正面図、（ｂ）は部分断面図である。
【発明を実施するための形態】
【００３６】
以下、本発明の埋設ボックス用土砂流入防止板、及び埋設ボックスセットを具体化した実施例を詳細に説明する。なお、本発明の埋設ボックス用土砂流入防止板は、下記に示す埋設ボックス用土砂流入防止板１〜６に限定されることはなく、適宜設計変更が可能である。また、図２，図５，図８，図１０，図１１（ｂ）においては、理解を容易とするために本来の縮尺とは異なる態様で示してある。
【００３７】
〔実施例１〕
図１，２に示したように、埋設ボックス用土砂流入防止板１は、平板形状の基板部２０を具備している。本実施例における基板部２０は四角板形状であり、縦長さは１２５ｍｍ、横長さは１１０ｍｍ、及び板厚は２ｍｍである。また、４つの角部は、Ｒ２０の面取りがなされている。
【００３８】
また、基板部２０の略中央部には、内径が１０ｍｍの円形状をなした水道管配置用孔部２１が基板部２０の板厚方向に沿って貫通状に形成されている。また、基板部２０には、当該基板部２０の外縁と水道管配置用孔部２１とを繋ぐ水道管通過用スリット部２２が形成されている。水道管通過用スリット部２２は、基板部２０の板厚方向に沿って貫通状に形成されており、基板部２０の縦辺に沿って筋状に形成されている。なお、水道管通過用スリット部２２のスリット幅は、１ｍｍである。
【００３９】
かかる構成により、基板部２０は、水道管通過用スリット部２２を基準として一側の第一基板部分割部２０ａと、他側の第二基板部分割部２０ｂとに部分的に分割されている。
【００４０】
さらに基板部２０における水道管配置用孔部２１を囲繞する周辺部には、周辺部から水道管配置用孔部２１に向かって延設されて差し出された弾性舌片部２５ａ，２５ｂが水道管配置用孔部２１を中心に放射状に複数（本実施例においては２０個）形成されている。なお、弾性舌片部２５ａ，２５ｂは、板片形状で正面視先細り形状をなし、互いに微少な間隔をおいて隣接している。なお、図１等に示すように、弾性舌片部２５ａ，２５ｂの正面視した際の外形はいずれも同一形状とされている。
【００４１】
また、弾性舌片部２５ａ，２５ｂは、水道管通過用スリット部２２に対して相対的に近い領域に配されている複数の下側弾性舌片部２５ａと、水道管通過用スリット部２２に対して相対的に遠い領域に配されている複数の上側弾性舌片部２５ｂとの２種類に大別されている。なお、弾性舌片部２５ａ，２５ｂの詳細は後述する。
【００４２】
さらに基板部２０における互いに隣り合う弾性舌片部２５ａ，２５ｂの基端である根本部には、弾性舌片部２５ａ，２５ｂ同士の離間距離よりも大きい内径の丸孔形状である切欠部２７が各々貫通状に形成されている。
【００４３】
さらに、水道管通過用スリット部２２と連続する基板部２０の外縁部には、水道管通過用スリット部２２に向かって傾斜する傾斜縁部３１，３２が形成されている。具体的には、第一基板部分割部２０ａに第一傾斜縁部３１が形成されており、第二基板部分割部２０ｂに第二傾斜縁部３２が形成されている。
【００４４】
次に、弾性舌片部２５ａ，２５ｂに設けられている弾性変化構造２５について、図２に従って詳述する。
図２に示したように、複数の下側弾性舌片部２５ａは、基板部２０の板厚と同じ均一な厚さの板厚を各々有している。一方、複数の上側弾性舌片部２５ｂは、基板部２０の板厚よりも薄い厚さの均一な板厚を各々有している。換言すれば、下側弾性舌片部２５ａにおける差し出し方向に直交する方向の板厚（外寸）Ｄ４が、上側弾性舌片部２５ｂにおける板厚（外寸）Ｄ３よりも厚い（大きい）構造となっている。具体的には、上側弾性舌片部２５ｂの板厚は１ｍｍに設定されている。
【００４５】
かかる構成により、上側弾性舌片部２５ｂに比して下側弾性舌片部２５ａの方が、弾性舌片部２５，２５ｂにおける板厚方向において板厚方向に弾性変形し難い弾性変化構造２５が構成されている。
【００４６】
次に、図３，４に従って、埋設ボックス用土砂流入防止板１の取り付け方法を詳述する。
【００４７】
図３（ａ）に示すように、量水器及び／又は止水栓等の機器が収容される埋設ボックス１５の左右両側面には、各々水道管挿通用孔部１６が設けられており、埋設ボックス１５が所定位置に埋設された状態では、水道管挿通用孔部１６に水道管Ｐが挿通されている。
【００４８】
そして、図４に示したように、水道管Ｐの外周面に対して、埋設ボックス用土砂流入防止板１の基板部２０に形成された傾斜縁部３１，３２を圧接させながら、基板部２０の第一基板部分割部２０ａと第二基板部分割部２０ｂとを水道管Ｐの管軸に沿って互いに離開させて、水道管通過用スリット部２２に水道管Ｐを案内する。次いで、水道管通過用スリット部２２に水道管Ｐを通過させた後、図３（ｂ）に示すように、水道管Ｐに各弾性舌片部２５ａ，２５ｂを当接させて水道管Ｐを水道管配置用孔部２１に配置する。ここで、弾性舌片部２５ａ，２５ｂの先端における水道管配置用孔部２１の孔径Ｄ１（図１参照）は、弾性舌片部２５ａ，２５ｂの先端における水道管配置用孔部２１の位置に配される水道管Ｐの外径Ｄ２（図４参照）と同じ寸法となっている。
【００４９】
そして、埋設ボックス用土砂流入防止板１で埋設ボックス１５の外側から水道管挿通用孔部１６を被覆した状態とする。これによって埋設ボックス１５の土砂流入防止構造１０を構築することができる。
【００５０】
このように、埋設ボックス用土砂流入防止板１を水道管Ｐに取り付けた状態では、図５に示すように弾性舌片部２５ａ，２５ｂが水道管Ｐに当接した状態となっている。したがって、水道管Ｐの周方向において水道管Ｐの外周面と弾性舌片部２５ａ，２５ｂとの間に隙間が生じにくくなっており、埋設ボックス１５内への土砂の流入が抑制されている。
【００５１】
また、図５に示すように、埋設ボックス用土砂流入防止板１は、水道管通過用スリット部２２に対して相対的に近い下側弾性舌片部２５ａが、相対的に遠い上側弾性舌片部２５ｂよりも弾性変形し難い弾性変化構造２５を有しているため、下側弾性舌片部２５ａが水道管Ｐに当接したときに当該下側弾性舌片部２５ａから大きい反力を得ることが可能となり、水道管通過用スリット部２２周辺の剛性が向上し、水道管通過用スリット部２２が過剰に拡開してしまうことが防止される。したがって、かかる装着状態で埋設ボックス用土砂流入防止板１が折れ曲がってしまうことが抑制されることになり、水道管Ｐにおける管軸の方向と水道管挿通用孔部２１の中心軸線方向とが一致しやすい状態となる。このため、埋設ボックス用土砂流入防止板１が水道管Ｐに対して傾いて装着されることがなくなり、埋設ボックス１５への土砂の流入を招く隙間が生じてしまうことを確実に防止することができる。なお、水道管通過用スリット部２２に対して相対的に遠い上側弾性舌片部２５ｂは相対的に弾性変形し易い構造であるため、水道管Ｐに対して柔軟に弾接することも可能である。
【００５２】
なお、各弾性舌片部２５ａ，２５ｂの根本部には、上述のように切欠部２７が形成されているため、各弾性舌片部２５ａ，２５ｂが根本部から容易に弾性変形可能となり、せん断応力による根本部の断裂を好適に防止することができる。
【００５３】
また、基板部２０の外縁部には、水道管Ｐを水道管通過用スリット部２２に案内する傾斜縁部３１，３２が形成されているため、水道管Ｐの外周面に傾斜縁部３１，３２を倣わせながら水道管通過用スリット部２２に水道管Ｐを円滑に配置することができる。
【００５４】
また、単体の埋設ボックス１５と、所要の数の埋設ボックス用土砂流入防止板１とを１組とした埋設ボックスセットとした場合には、土砂の流入を防止できる埋設ボックス１５を施工現場で迅速に準備し、そして施工することができる。
【００５５】
ところで、本実施例にかかる埋設ボックス用土砂流入防止板１は、通常、金型を用いて成型加工されるものであるところ、成型加工時において下側弾性舌片部２５ａの先端部は最も樹脂が到達しにくい箇所となる。しかし、本実施例の下側弾性舌片部２５ａを成型する金型内の所要位置は、上側弾性舌片部２５ｂに比べてクリアランスが大きいため、下側弾性舌片部２５ａの先端部まで十分に樹脂を行き渡らせることができる。
【００５６】
〔実施例２〕
次に、実施例２にかかる埋設ボックス用土砂流入防止板２を、図６に従って説明する。なお、上記実施例１と同様の構成を有するものは同じ符号を付し、説明を省略する。
【００５７】
図６に示すように、埋設ボックス用土砂流入防止板２にあっては、水道管通過用スリット部２２に対して相対的に近い下半分の位置に配された下側弾性舌片部３５ａにおける最大板幅Ｄ５が、相対的に遠い上半分の位置に配された上側弾性舌片部３５ｂにおける最大板幅Ｄ６よりも幅広とされた弾性変化構造３５を具備している。
【００５８】
具体的には、水道管配置用孔部２１の下半分を囲繞する複数の下側弾性舌片部３５ａは、分割されて４個設けられており、これに対して水道管配置用孔部２１の上半分を囲繞する複数の上側弾性舌片部３５ｂは、分割されて１０個設けられている。
【００５９】
かかる弾性変化構造３５にあっても上記実施例１と同様に、水道管通過用スリット部２２に対して相対的に近い下側弾性舌片部３５ａが水道管通過用スリット部２２に対して相対的に遠い上側弾性舌片部３５ｂよりも板厚方向に弾性変形し難い構造となっている。
【００６０】
〔実施例３〕
次に、実施例３にかかる埋設ボックス用土砂流入防止板３を、図７に従って説明する。なお、上記実施例１，２と同様の構成を有するものは同じ符号を付し、説明を省略する。
【００６１】
図７に示すように、埋設ボックス用土砂流入防止板３にあっては、複数の弾性舌片部４６を具備している。ただし、複数の弾性舌片部４６のうち、例えば水道管通過用スリット部２２に対して相対的に近い弾性舌片部４５ａの差し出し長さＤ７が、相対的に遠い弾性舌片部４５ｂの差し出し長さＤ８よりも短い。
【００６２】
具体的には、複数の弾性舌片部４６の根本部を結んだ仮想円の中心よりも下側に偏心させた位置に水道管配置用孔部２１が設けられており、弾性舌片部４６が水道管通過用スリット部２２に近いものほど差し出し長さが短くなる弾性変化構造４５を具備している。
【００６３】
かかる弾性変化構造４５にあっても上記実施例１，２と同様に、水道管通過用スリット部２２に対して相対的に近い弾性舌片部（例えば弾性舌片部４５ａ）が相対的に遠い弾性舌片部（例えば弾性舌片部４５ｂ）よりも板厚方向に弾性変形し難い構造となっている。
【００６４】
〔実施例４〕
次に、実施例４にかかる埋設ボックス用土砂流入防止板４を、図８に従って説明する。なお、埋設ボックス用土砂流入防止板４は、上記実施例１の変形例にあたり、同様の構成を有するものは同じ符号を付し、説明を省略する。
【００６５】
図８に示すように、埋設ボックス用土砂流入防止板４にあっては、下側弾性舌片部５５ａ及び上側弾性舌片部５５ｂが、先端に向かうに従って板厚（差し出し方向に直交する方向の外寸）が薄くなる弾性変化構造５５を具備している。
【００６６】
かかる構成とすることにより、弾性舌片部５５ａ，５５ｂの先端が弾性変形し易くなり、水道管Ｐの形状に追従し易くなる。
【００６７】
なお、このように下側弾性舌片部５５ａ及び上側弾性舌片部５５ｂが、先端に向かうに従って板厚が薄くなる構成の場合は、当該弾性舌片部５５ａ，５５ｂの根本部における最大板厚を基準にして、水道管通過用スリット部２２に対して近い下側弾性舌片部５５ａと遠い上側弾性舌片部５５ｂとの間で弾性変化構造５５を構成すればよい。
【００６８】
〔実施例５〕
次に、実施例５にかかる埋設ボックス用土砂流入防止板５を、図９，１０に従って説明する。なお、埋設ボックス用土砂流入防止板５は、上記実施例１の変形例にあたり、同様の構成を有するものは同じ符号を付し、説明を省略する。
【００６９】
図９に示すように、埋設ボックス用土砂流入防止板５にあっては、下側弾性舌片部６５ａの先端側及び上側弾性舌片部６５ｂの先端側が、水道管配置用孔部２１に向かうに従って基板部２０の板厚方向に沿うように一方へ湾曲している。
【００７０】
さらに、その上で、下側弾性舌片部６５ａの板厚が上側弾性舌片部６５ｂの板厚よりも厚い構造となる弾性変化構造６５を具備している。
【００７１】
なお、複数の弾性舌片部６５ａ，６５ｂの先端における水道管配置用孔部２１の最小孔径Ｄ９（図９参照）は、弾性舌片部６５ａ，６５ｂの先端における水道管配置用孔部２１の位置に配される水道管Ｐの外径Ｄ１０（図９参照）よりも径小となっている。再度述べると、弾性舌片部６５ａ，６５ｂの先端における水道管配置用孔部２１の最小孔径は、弾性舌片部６５ａ，６５ｂの先端が位置している箇所における水道管配置用孔部２１の内径に相当する。また、弾性舌片部６５ａ，６５ｂの先端における水道管配置用孔部２１の位置に配される水道管Ｐの外径は、水道管Ｐの外径のうち、水道管配置用孔部２１に配置されたときに弾性舌片部６５ａ，６５ｂの先端が位置している箇所の水道管Ｐの外径に相当する。
【００７２】
かかる構成にあって、埋設ボックス用土砂流入防止板５を水道管Ｐに装着するときは、弾性舌片部６５ａ，６５ｂの先端部を埋設ボックス１５の水道管挿通用孔部１６とは反対側に向けた上で、水道管通過用スリット部２２に水道管Ｐを通過させる。その後、水道管Ｐで各弾性舌片部６５ａ，６５ｂを弾性変形させて水道管配置用孔部２１を押し広げながら水道管Ｐを水道管配置用孔部２１に配置する。なお、埋設ボックス用土砂流入防止板５を水道管Ｐに取り付ける工程で、弾性舌片部６５ａ，６５ｂの長さを水道管Ｐの外径に対応させてあらかじめ長さ調整する必要はない。
【００７３】
このように、埋設ボックス用土砂流入防止板５を水道管Ｐに取り付けた状態では、図１０に示すように、弾性舌片部６５ａ，６５ｂが水道管Ｐに弾接した状態となっている。したがって、水道管Ｐの周方向において水道管Ｐの外周面と弾性舌片部６５ａ，６５ｂとの間に隙間が生じにくくなっており、埋設ボックス１５内への土砂の流入が抑制されている。なお、弾性舌片部６５ａ，６５ｂの先端部が向く方向と、水道管Ｐの管軸方向とがほぼ一致した状態で当該弾性舌片部６５ａ，６５ｂと当該水道管Ｐとが当接するため、弾性舌片部６５ａ，６５ｂの長さを水道管Ｐの外径に厳密に対応させる必要がない。
【００７４】
また、上記構成は、土砂が流入しようとする方向と湾曲した弾性舌片部６５ａ，６５ｂの差し出し方向とを対向させることが可能となり、埋設ボックス１５内に流入しにくい土砂流入防止構造１０を構築することができる。なお、本発明は、湾曲した弾性舌片部６５ａ，６５ｂの差し出し方向を埋設ボックス１５側に向ける構成を積極的に排除するものではない。
【００７５】
なお、これまでに述べた実施例において、各部の寸法形状は適宜自由に設定可能である。
【００７６】
また、実施例１にかかる埋設ボックス用土砂流入防止板１において、下側弾性舌片部２５ａの板厚は基板部２０の板厚と同じにする必要はなく、例えば基板部２０よりも薄く、かつ上側弾性舌片部２５ｂよりも厚い構成としてもよい。また、適宜板厚を変更して、上側弾性舌片部２５ｂが弾性変形し易い構造としてもよい。例えば、図１１に示した埋設ボックス用土砂流入防止板６のように、上側弾性舌片部７５ｂの表面に、当該上側弾性舌片部７５ｂを横断する方向に沿って凹溝７８を複数設けることで水道管通過用スリット部２２に対して相対的に近い下側弾性舌片部７５ａが水道管通過用スリット部２２に対して相対的に遠い上側弾性舌片部７５ｂよりも弾性変形し難い弾性変化構造７５を具備するものとしてもよい。また、上記実施例１〜５に示した構造を適宜互いに組み合わせてもよい。
【００７７】
さらに、本発明の弾性変化構造２５，３５，４５，５５，６５，７５にあって、弾性舌片部２５ａ，２５ｂ，３５ａ，３５ｂ，４５ａ，４５ｂ，５５ａ，５５ｂ，６５ａ，６５ｂ，７５ａ，７５ｂの弾性変形のし難さは、２段階である必要はなく、弾性変形のし難さが３段階以上変化するものであってもよい。
【００７８】
また、弾性舌片部２５ａ，２５ｂ，３５ａ，３５ｂ，４５ａ，４５ｂ，５５ａ，５５ｂ，６５ａ，６５ｂ，７５ａ，７５ｂは、板片形状に限定されることはなく、断面が円形状、多角形又は異形等であってもよい。かかる構成にあっては、当該弾性舌片部２５ａ，２５ｂ，３５ａ，３５ｂ，４５ａ，４５ｂ，５５ａ，５５ｂ，６５ａ，６５ｂ，７５ａ，７５ｂにおける差し出し方向に直交する方向の最大外寸を基準にして、水道管通過用スリット部２２に対して近い弾性舌片部２５ａ，３５ａ，４５ａ，５５ａ，６５ａ，７５ａと遠い弾性舌片部２５ｂ，３５ｂ，４５ｂ，５５ｂ，６５ｂ，７５ｂとの間で弾性変化構造２５，３５，４５，５５，６５，７５を構成すればよい。
【００７９】
また、弾性舌片部２５ａ，２５ｂ，３５ａ，３５ｂ，４５ａ，４５ｂ，５５ａ，５５ｂ，６５ａ，６５ｂ，７５ａ，７５ｂが基板部２０の板厚方向に湾曲していない構造であっても、水道管配置用孔部２１に水道管Ｐが配置されていない状態の弾性舌片部２５ａ，２５ｂ，３５ａ，３５ｂ，４５ａ，４５ｂ，５５ａ，５５ｂ，６５ａ，６５ｂ，７５ａ，７５ｂの先端における水道管配置用孔部２１の最小孔径が、弾性舌片部２５ａ，２５ｂ，３５ａ，３５ｂ，４５ａ，４５ｂ，５５ａ，５５ｂ，６５ａ，６５ｂ，７５ａ，７５ｂの先端における水道管配置用孔部２１の位置に配される水道管Ｐの外形よりも径小とした構成を採用しても勿論よい。
【００８０】
なお、埋設ボックス用土砂流入防止板１〜６は、例えば再生ポリプロピレン（Ｒ−ＰＰ）等のような可撓性のある合成樹脂で構成されていることが望ましい。
【符号の説明】
【００８１】
１〜６                              埋設ボックス用土砂流入防止板
１０                                埋設ボックスの土砂流入防止構造
１５                                埋設ボックス
１６                                水道管挿通用孔部
２０                                基板部
２１                                水道管配置用孔部
２２                                水道管通過用スリット部
２５，３５，４５，５５，６５，７５  弾性変化構造
２５ａ，２５ｂ，３５ａ，３５ｂ，４５ａ，４５ｂ，５５ａ，５５ｂ，６５ａ，６５ｂ，７５ａ，７５ｂ                      弾性舌片部
Ｐ                                  水道管
【図１】
2018071241.tif 000003
【図２】
2018071241.tif 000004
【図３】
2018071241.tif 000005
【図４】
2018071241.tif 000006
【図５】
2018071241.tif 000007
【図６】
2018071241.tif 000008
【図７】
2018071241.tif 000009
【図８】
2018071241.tif 000010
【図９】
2018071241.tif 000011
【図１０】
2018071241.tif 000012
【図１１】
2018071241.tif 000013